【手続補正書】
【提出日】平成16年11月4日(2004.11.4)
【手続補正１】
【補正対象書類名】明細書
【補正対象項目名】特許請求の範囲
【補正方法】変更
【補正の内容】
【特許請求の範囲】
【請求項１】  コンピュータネットワークに接続されるようになっている、各々がメモリを有する複数のワークステーションと、
前記ワークステーションの各々からデータを受信するように構成されたデータリポジトリーと、
発信データを前記ネットワークに送信し、着信データを前記ネットワークから受信するための、各ワークステーションの前記メモリに記憶されたアプリケーションと、
前記データリポジトリーに記憶される関係データを定義する規則を含むポリシーデータと、
前記発信データ及び前記着信データの少なくとも一方をモニタし、前記発信データ及び前記着信データの少なくとも一方において、前記ポリシーデータ内の前記規則に従って前記データリポジトリーに記憶される関係データを識別し、前記関係データを前記データリポジトリーに記憶させるように、前記ポリシーデータと協働して作動可能であるアナライザと、
を含むことを特徴とする情報管理システム。
【請求項２】  前記データリポジトリーに記憶される前記関係データは、前記データリポジトリーに送信される前に暗号化されることを特徴とする請求項１に記載のシステム。
【請求項３】  前記データリポジトリーに記憶されている前記関係データは、暗号化されることを特徴とする請求項１に記載のシステム。
【請求項４】  前記１つ又はそれ以上のワークステーションが接続されるようになっている前記コンピュータネットワークは、「インターネット」であることを特徴とする請求項１に記載のシステム。
【請求項５】  前記アナライザは、ユーザを識別するために使用されるユーザ名及びパスワード、「インターネット」上のウェブページにアクセスするのに使用されるユーザ名及びパスワード、及び、それらのユーザ名及びパスワードが使用されるウェブページの「ＵＲＬ」アドレスのうちの少なくとも１つを関係データとして識別するように作動可能であり、
前記識別されたユーザ名、パスワード、及び、前記識別された「ＵＲＬ」は、前記データリポジトリーに記憶される、
ことを特徴とする請求項４に記載のシステム。
【請求項６】  前記アナライザは、前記発信データ及び前記着信データのうちの少なくとも一方に含まれたデータのフィールド名からユーザ名及びパスワードを識別するように作動可能であることを特徴とする請求項５に記載のシステム。
【請求項７】  ウェブページの入力フィールドの表現は、前記１つ又はそれ以上のワークステーションの前記メモリに記憶され、
前記アナライザは、ユーザ名及びパスワードを前記表現内で識別するように作動可能である、
ことを特徴とする請求項５に記載のシステム。
【請求項８】  前記アナライザは、前記発信データ又は前記着信データに含まれたデータのフィールド形式からユーザ名又はパスワードを識別するように作動可能であることを特徴とする請求項５に記載のシステム。
【請求項９】  前記アナライザは、前記発信データ又は前記着信データのうちの少なくとも一方に含まれるか、又は、前記着信データ又は前記発信データ内の署名入りデータにデジタル署名するために使用されるデジタル証明書、又は、そのようなデジタル証明書を特定するのに十分な記述データを関係データとして識別するように作動可能であり、
前記デジタル証明書及び／又は前記記述データは、前記データリポジトリーに記憶される、
ことを特徴とする請求項４に記載のシステム。
【請求項１０】  前記アナライザは、
前記デジタル証明書が取り消されたか否か、
前記デジタル証明書の保持者の身元、
前記デジタル証明書に関連する実行中の任意の「ｅＣｏｍｍｅｒｃｅ」取引の金額、
前記デジタル証明書を用いて実行中の任意の「ｅＣｏｍｍｅｒｃｅ」取引で販売されている品物又はサービス、及び
前記デジタル証明書の受信日付、
のデータのうちの１つ又はそれ以上を関係データとして識別するように作動可能であり、
前記識別されたデータは、前記データリポジトリーに前記デジタル証明書と共に記憶される、
ことを特徴とする請求項９に記載のシステム。
【請求項１１】  前記アナライザは、「ｅＣｏｍｍｅｒｃｅ」取引が発生していることを識別するように作動可能であり、かつ、「ｅＣｏｍｍｅｒｃｅ」取引が発生中であると識別された場合は、前記発信データ又は前記着信データにおいて、
発信データが送信されているか、又は、着信データが受信されている遠隔ロケーションの「ＵＲＬ」アドレス又は電子メールアドレス、
取引中に前記１つ又はそれ以上のワークステーションのユーザによってアクセスされたウェブページ、
取引の金額、
取引で売買されている品物又はサービス、及び
取引の日付、
のデータのうちの１つ又はそれ以上を、前記データリポジトリーに記憶される関係データとして識別するように作動可能である、
ことを特徴とする請求項４に記載のシステム。
【請求項１２】  前記アナライザは、前記１つ又はそれ以上のワークステーションの各々に位置することを特徴とする請求項１に記載のシステム。
【請求項１３】  前記アプリケーションは、ウェブブラウザであることを特徴とする請求項１に記載のシステム。
【請求項１４】  前記アナライザは、前記ウェブブラウザのプラグイン・モジュールであることを特徴とする請求項１３に記載のシステム。
【請求項１５】  前記ウェブブラウザは、マイクロソフト製の「インターネット・エクスプローラ」であり、前記アナライザは、「ブラウザ・ヘルパー・オブジェクト」であることを特徴とする請求項１４に記載のシステム。
【請求項１６】  前記アプリケーションは、電子メールクライアントであることを特徴とする請求項１に記載のシステム。
【請求項１７】  前記アナライザは、前記電子メールクライアントのプラグイン・モジュールであることを特徴とする請求項１６に記載のシステム。
【請求項１８】  前記電子メールクライアントは、マイクロソフト製の「アウトルック」電子メールクライアントであり、前記アナライザは、「マイクロソフト・エクスチェンジ」クライアント・エクステンションであることを特徴とする請求項１７に記載のシステム。
【請求項１９】  前記アプリケーションは、「インスタントメッセージング」アプリケーションであることを特徴とする請求項１に記載のシステム。
【請求項２０】  前記アナライザは、前記「インスタントメッセージング」アプリケーションのプラグインであることを特徴とする請求項１９に記載のシステム。
【請求項２１】  前記アプリケーションは、「音声メッセージング」アプリケーションであることを特徴とする請求項１に記載のシステム。
【請求項２２】  前記アナライザは、前記「音声メッセージング」アプリケーションのプラグインであることを特徴とする請求項２１に記載のシステム。
【請求項２３】  前記ネットワークはサーバを含み、前記アナライザは、前記１つ又はそれ以上のワークステーションと前記サーバとの中間の前記ネットワーク上の一点に位置するか、又は、前記サーバに位置することを特徴とする請求項１に記載のシステム。
【請求項２４】  前記データリポジトリーにアクセスすることができ、前記データリポジトリーに記憶された前記関係データを閲覧するように作動可能であるスーパバイザ・ワークステーションを更に含むことを特徴とする請求項１に記載のシステム。
【請求項２５】  前記ポリシーデータは、前記スーパバイザ・ワークステーションのユーザが前記ポリシーデータを編集することができるように、前記スーパバイザ・ワークステーションによってアクセス可能であることを特徴とする請求項２４に記載のシステム。
【請求項２６】  前記複数のワークステーションにあるワークステーションは、前記データリポジトリーにアクセスすることができ、前記データリポジトリーに記憶された前記関係データを閲覧するように作動可能であることを特徴とする請求項１に記載のシステム。
【請求項２７】  前記１つ又はそれ以上のワークステーションが接続されるようになっている前記コンピュータネットワークは、公衆コンピュータネットワークであり、
前記１つ又はそれ以上のワークステーションは、互いに私設コンピュータネットワークを形成する、
ことを特徴とする請求項１に記載のシステム。
【請求項２８】  コンピュータネットワークに接続されるようになっている、各々がメモリを有する複数のワークステーションを設ける段階と、
前記ワークステーションの各々からデータを受信するように構成されたデータリポジトリーを設ける段階と、
発信データを前記ネットワークに送信し、着信データを前記ネットワークから受信するための、各ワークステーションの前記メモリに記憶されたアプリケーションを準備する段階と、
前記データリポジトリーに記憶される関係データを定義する規則を含むポリシーデータを準備する段階と、
前記発信データ及び前記着信データのうちの少なくとも一方において、前記ポリシーデータ内の前記規則に従って前記データリポジトリーに記憶される関係データを識別するために、前記ポリシーデータを参照して前記発信データ及び前記着信データのうちの少なくとも一方を解析する段階と、
前記関係データを前記データリポジトリーに記憶する段階と、
を含むことを特徴とする、情報を管理する方法。
【請求項２９】  前記データリポジトリーに記憶される前記関係データを、前記データリポジトリーに記憶される前に暗号化する段階を更に含むことを特徴とする請求項２８に記載の方法。
【請求項３０】  前記関係データが前記データリポジトリーに記憶された後で、前記データリポジトリーに記憶されているその関係データを暗号化する段階を更に含むことを特徴とする請求項２８に記載の方法。
【請求項３１】  前記１つ又はそれ以上のワークステーションが接続されるようになっている前記コンピュータネットワークは、「インターネット」であることを特徴とする請求項２８に記載の方法。
【請求項３２】  前記解析する段階において、ユーザを識別するために使用されるユーザ名及びパスワード、「インターネット」上のウェブページにアクセスするのに使用されるユーザ名及びパスワード、及び、それらのウェブページの「ＵＲＬ」アドレスのうちの少なくとも１つは、関係データとして識別されることを特徴とする請求項３１に記載の方法。
【請求項３３】  前記解析する段階において、ユーザ名及びパスワードは、前記発信データ及び前記着信データのうちの少なくとも一方に含まれたデータのフィールド名内で識別されることを特徴とする請求項３２に記載の方法。
【請求項３４】  ウェブページの入力フィールドの表現は、前記１つ又はそれ以上のワークステーションの前記メモリに記憶され、
前記解析する段階において、ユーザ名及びパスワードは、前記表現内で識別される、
ことを特徴とする請求項３２に記載の方法。
【請求項３５】  前記解析する段階において、ユーザ名又はパスワードは、前記発信データ又は前記着信データに含まれるデータのフィールド形式内で識別されることを特徴とする請求項３２に記載の方法。
【請求項３６】  前記解析する段階において、前記発信データ又は前記着信データのうちの少なくとも一方に含まれるか、又は、前記着信データ又は前記発信データ内の署名入りデータにデジタル署名するのに使用されたデジタル証明書が、関係データとして特定されるか、又は、そのようなデジタル証明書を特定するのに十分な記述データが、関係データとして識別されることを特徴とする請求項３１に記載の方法。
【請求項３７】  前記解析する段階は、
前記デジタル証明書が取り消されたか否か、
前記デジタル証明書の保持者の身元、
前記デジタル証明書に関連する、行われている任意の「ｅＣｏｍｍｅｒｃｅ」取引の金額、
前記デジタル証明書を用いて行われている任意の「ｅＣｏｍｍｅｒｃｅ」取引で販売される品物又はサービス、及び
前記デジタル証明書の受信日付、
のデータのうちの１つ又はそれ以上を関係データとして識別する段階を含むことを特徴とする請求項３６に記載の方法。
【請求項３８】  前記解析する段階は、「ｅＣｏｍｍｅｒｃｅ」取引が発生していることを識別する段階と、オンライン「ｅＣｏｍｍｅｒｃｅ」取引が発生中であると識別した場合は、前記発信データ又は前記着信データにおいて、
発信データが送信されているか、又は、着信データが受信されている遠隔ロケーションの「ＵＲＬ」アドレス又は電子メールアドレス、
取引中に前記１つ又はそれ以上のワークステーションのユーザによってアクセスされたウェブページ、
取引の金額、
取引で売買されている品物又はサービス、及び
取引の日付、
のデータのうちの１つ又はそれ以上を関係データとして識別する段階とを含むことを特徴とする請求項３１に記載の方法。
【請求項３９】  前記解析する段階は、前記１つ又はそれ以上のワークステーションで実行されることを特徴とする請求項２８に記載の方法。
【請求項４０】  前記アプリケーションは、ウェブブラウザであることを特徴とする請求項２８に記載の方法。
【請求項４１】  前記解析する段階は、前記ウェブブラウザのプラグイン・モジュールによって実行されることを特徴とする請求項４０に記載の方法。
【請求項４２】  前記ウェブブラウザは、マイクロソフト製の「インターネット・エクスプローラ」であり、前記プラグイン・モジュールは、「ブラウザ・ヘルパー・オブジェクト」であることを特徴とする請求項４１に記載の方法。
【請求項４３】  前記アプリケーションは、電子メールクライアントであることを特徴とする請求項２８に記載の方法。
【請求項４４】  前記解析する段階は、前記電子メールクライアントのプラグイン・モジュールによって実行されることを特徴とする請求項４３に記載の方法。
【請求項４５】  前記電子メールクライアントは、マイクロソフト製の「アウトルック」電子メールクライアントであり、前記プラグイン・モジュールは、「マイクロソフト・エクスチェンジ」クライアント・エクステンションであることを特徴とする請求項４４に記載の方法。
【請求項４６】  前記アプリケーションは、「インスタントメッセージング」アプリケーションであることを特徴とする請求項２８に記載の方法。
【請求項４７】  前記アナライザは、前記「インスタントメッセージング」アプリケーションのプラグインであることを特徴とする請求項４６に記載の方法。
【請求項４８】  前記アプリケーションは、「音声メッセージング」アプリケーションであることを特徴とする請求項２８に記載の方法。
【請求項４９】  前記解析する段階は、前記「音声メッセージング」アプリケーションのプラグインにより実行されることを特徴とする請求項４８に記載の方法。
【請求項５０】  前記ネットワークはサーバを含み、前記解析する段階は、前記１つ又はそれ以上のワークステーションと前記サーバとの中間の前記ネットワーク上の一点で実行されるか、又は、前記サーバで実行されることを特徴とする請求項２８に記載の方法。
【請求項５１】  前記データリポジトリーにアクセスすることができ、前記データリポジトリーに記憶された前記関係データを閲覧するように作動可能であるスーパバイザ・ワークステーションを設ける段階を更に含むことを特徴とする請求項２８に記載の方法。
【請求項５２】  前記ポリシーデータは、前記スーパバイザ・ワークステーションのユーザが前記ポリシーデータを編集することができるように、前記スーパバイザ・ワークステーションによってアクセス可能であることを特徴とする請求項５１に記載の方法。
【請求項５３】  前記複数のワークステーションにあるワークステーションは、前記データリポジトリーにアクセスすることができ、前記データリポジトリーに記憶された前記関係データを閲覧するように作動可能であることを特徴とする請求項２８に記載の方法。
【請求項５４】  前記１つ又はそれ以上のワークステーションが接続されるようになっている前記コンピュータネットワークは、公衆コンピュータネットワークであり、
前記１つ又はそれ以上のワークステーションは、互いに私設コンピュータネットワークを形成する、
ことを特徴とする請求項２８に記載の方法。
【請求項５５】  複数のコンピュータからのデータと、公衆ネットワークに送信された発信データ又は公衆ネットワークから受信されてデータリポジトリーに記憶された着信データのうちの少なくとも一方から抽出される関係データを定義する規則を含むポリシーデータとを受信するように構成されたデータリポジトリーを有する私設ネットワークにおいて、情報を管理するように複数のコンピュータを制御するコンピュータプログラム製品であって、
プログラムコードが記録された、コンピュータによって読取可能な記録媒体、
を含み、
前記プログラムコードは、複数のコンピュータの各々で実行された時に、
前記コンピュータの各々で実行される、発信データを送信して着信データを受信するように作動可能なアプリケーションと協働して、前記発信データ及び前記着信データのうちの少なくとも一方においてポリシーデータ内の規則に従ってデータリポジトリーに記憶される関係データを識別するために、前記ポリシーデータを参照して前記発信データ及び前記着信データのうちの少なくとも一方を解析し、かつ
前記関係データを前記データリポジトリーに記憶させる、
ように前記コンピュータを構成する、
ことを特徴とするコンピュータプログラム製品。
【請求項５６】  前記コンピュータ上で実行された時の前記プログラムコードは、前記関係データが前記データリポジトリーに記憶される前に、前記データリポジトリーに記憶される前記関係データを暗号化させるように作動可能であることを特徴とする請求項５５に記載のコンピュータプログラム製品。
【請求項５７】  前記コンピュータ上で実行された時の前記プログラムコードは、前記データリポジトリーに記憶されている前記関係データを暗号化させるように作動可能であることを特徴とする請求項５５に記載のコンピュータプログラム製品。
【請求項５８】  前記アプリケーションは、発信データを「インターネット」に送信し、着信データを「インターネット」から受信するようになっていることを特徴とする請求項５５に記載のコンピュータプログラム製品。
【請求項５９】  ユーザを識別するために使用されるユーザ名及びパスワード、「インターネット」上のウェブページにアクセスするのに使用されるユーザ名及びパスワード、及び、それらのウェブページの「ＵＲＬ」アドレスのうちの少なくとも１つは、関係データとして識別されることを特徴とする請求項５８に記載のコンピュータプログラム製品。
【請求項６０】  ユーザ名及びパスワードは、前記発信データ及び前記着信データのうちの少なくとも一方に含まれたデータのフィールド名内で識別されることを特徴とする請求項５９に記載のコンピュータプログラム製品。
【請求項６１】  ウェブページの入力フィールドの表現は、前記１つ又はそれ以上のワークステーションの前記メモリに記憶され、
前記ユーザ名及びパスワードは、前記表現内で識別される、
ことを特徴とする請求項５９に記載のコンピュータプログラム製品。
【請求項６２】  ユーザ名又はパスワードは、前記発信データ又は前記着信データに含まれるデータのフィールド形式内で識別されることを特徴とする請求項５９に記載のコンピュータプログラム製品。
【請求項６３】  前記発信データ又は前記着信データのうちの少なくとも一方に含まれるか、又は、前記着信データ又は前記発信データ内の署名入りデータにデジタル署名するのに使用されたデジタル証明書、又は、任意のそのようなデジタル証明書を特定するのに十分な記述データは、関係データとして識別されることを特徴とする請求項５８に記載のコンピュータプログラム製品。
【請求項６４】  前記デジタル証明書が取り消されたか否か、
前記デジタル証明書の保持者の身元、
前記デジタル証明書に関連する、行われている任意の「ｅＣｏｍｍｅｒｃｅ」取引の金額、
前記デジタル証明書を用いて行われている任意の「ｅＣｏｍｍｅｒｃｅ」取引で販売される品物又はサービス、及び
前記デジタル証明書の受信日付、
のデータのうちの１つ又はそれ以上は、関係データとして識別されることを特徴とする請求項６３に記載のコンピュータプログラム製品。
【請求項６５】  前記コンピュータ上で実行された時の前記プログラムコードは、
「ｅＣｏｍｍｅｒｃｅ」取引が発生していることを識別し、
「ｅＣｏｍｍｅｒｃｅ」取引が発生中であると識別された場合は、前記発信データ又は前記着信データにおいて、
発信データが送信されているか、又は、着信データが受信されている遠隔ロケーションの「ＵＲＬ」アドレス又は電子メールアドレス、
取引中に前記１つ又はそれ以上のワークステーションのユーザによってアクセスされたウェブページ、
取引の金額、
取引で売買されている品物又はサービス、及び
取引の日付、
のデータのうちの１つ又はそれ以上を関係データとして識別する、
ように更に作動可能であることを特徴とする請求項５８に記載のコンピュータプログラム製品。
【請求項６６】  前記プログラムコードは、前記コンピュータの各々で実行可能であることを特徴とする請求項６５に記載のコンピュータプログラム製品。
【請求項６７】  前記アプリケーションは、ウェブブラウザであることを特徴とする請求項５５に記載のコンピュータプログラム製品。
【請求項６８】  前記コンピュータ上で実行された時の前記プログラムコードは、前記ウェブブラウザのプラグイン・モジュールであることを特徴とする請求項６７に記載のコンピュータプログラム製品。
【請求項６９】  前記ウェブブラウザは、マイクロソフト製の「インターネット・エクスプローラ」であり、前記プラグイン・モジュールは、「ブラウザ・ヘルパー・オブジェクト」であることを特徴とする請求項６８に記載のコンピュータプログラム製品。
【請求項７０】  前記アプリケーションは、電子メールクライアントであることを特徴とする請求項５５に記載のコンピュータプログラム製品。
【請求項７１】  前記コンピュータ上で実行された時の前記プログラムコードは、前記電子メールクライアントのプラグイン・モジュールであることを特徴とする請求項７０に記載のコンピュータプログラム製品。
【請求項７２】  前記電子メールクライアントは、マイクロソフト製の「アウトルック」電子メールクライアントであり、前記プラグイン・モジュールは、「マイクロソフト・エクスチェンジ」クライアント・エクステンションであることを特徴とする請求項７１に記載のコンピュータプログラム製品。
【請求項７３】  前記アプリケーションは、「インスタントメッセージング」アプリケーションであることを特徴とする請求項５５に記載のコンピュータソフトウエア製品。
【請求項７４】  前記コンピュータ上で実行された時の前記プログラムコードは、前記「インスタントメッセージング」アプリケーションのプラグインであることを特徴とする請求項７３に記載のコンピュータソフトウエア製品。
【請求項７５】  前記アプリケーションは、「音声メッセージング」アプリケーションであることを特徴とする請求項５５記載のコンピュータソフトウエア製品。
【請求項７６】  前記コンピュータ上で実行された時の前記プログラムコードは、前記「音声メッセージング」アプリケーションのプラグインであることを特徴とする請求項７５に記載のコンピュータソフトウエア製品。
【請求項７７】  前記ネットワークはサーバを含み、前記プログラムコードは、前記１つ又はそれ以上のワークステーションと前記サーバとの中間の前記ネットワーク上の一点で実行可能であるか、又は、前記サーバで実行可能であることを特徴とする請求項５５に記載のコンピュータプログラム製品。
【請求項７８】  前記複数のコンピュータにおけるコンピュータ上で実行された時、そのコンピュータを、前記データリポジトリーにアクセスすることができ、前記データリポジトリーに記憶された前記関係データを閲覧するように作動可能であるスーパバイザ・ワークステーションとして有効化することができる、前記記録媒体上に記録されたプログラムコードを更に含むことを特徴とする請求項５５に記載のコンピュータプログラム製品。
【請求項７９】  前記ポリシーデータは、前記スーパバイザ・ワークステーションのユーザが前記ポリシーデータを編集することができるように、前記スーパバイザ・ワークステーションによってアクセス可能であることを特徴とする請求項７８に記載のコンピュータプログラム製品。
【請求項８０】  前記複数のコンピュータにおけるコンピュータ上で実行された時、そのコンピュータのユーザが前記データリポジトリーに記憶された前記関係データを閲覧することができるようにそのコンピュータに前記データリポジトリーへのアクセスをもたらす、前記記録媒体上に記録されたプログラムコードを更に含むことを特徴とする請求項５５に記載のコンピュータプログラム製品。
【請求項８１】  「インターネット」に接続されるようになっている、各々がメモリを有する複数のワークステーション、
前記ワークステーションの各々からデータを受信するように構成されたデータリポジトリー、
発信データを送信し、着信データを「インターネット」から受信するための、各ワークステーションの前記メモリに記憶されたアプリケーション、及び／又は、ユーザ入力データを受信するためのアプリケーション、及び
前記入力データ、前記発信データ、及び、前記着信データのうちの少なくとも１つをモニタし、前記ユーザ入力データ、前記発信データ、又は、前記着信データに含まれるユーザ名及びパスワードを識別し、前記ユーザ名及びパスワードを前記データリポジトリーに記憶させるように作動可能なアナライザ、
を含むことを特徴とする、パスワード及びユーザ名を記録するためのシステム。
【請求項８２】  前記アナライザは、前記ユーザ名及びパスワードがウェブページにアクセスするのに使用されるか否かを判断するように作動可能であり、かつ、使用される場合は、前記ウェブページの「ＵＲＬ」アドレスを識別し、その「ＵＲＬ」を前記ユーザ名及びパスワードと共に前記データリポジトリーに記憶させるように作動可能であることを特徴とする請求項８１に記載のシステム。
【請求項８３】  前記関連ユーザ名及びパスワードのデータは、前記データリポジトリーに送信される前に暗号化されることを特徴とする請求項８１に記載のシステム。
【請求項８４】  前記データリポジトリーに記憶されている前記関連ユーザ名及びパスワードは、暗号化されることを特徴とする請求項８１に記載のシステム。
【請求項８５】  前記アナライザは、前記発信データ又は前記着信データのうちの少なくとも一方に含まれたデータのフィールド名から前記関連ユーザ名及びパスワードを識別するように作動可能であることを特徴とする請求項８１に記載のシステム。
【請求項８６】  ウェブページの入力フィールドの表現は、前記１つ又はそれ以上のワークステーションの前記メモリに記憶され、
前記アナライザは、前記関連ユーザ名及びパスワードを前記表現内で識別するように作動可能である、
ことを特徴とする請求項８１に記載のシステム。
【請求項８７】  前記アナライザは、前記発信データ又は前記着信データに含まれたデータのフィールド形式から前記関連ユーザ名又はパスワードを識別するように作動可能であることを特徴とする請求項８１に記載のシステム。
【請求項８８】  前記アプリケーションは、選択された時に入力ユーザ名及びパスワードをメモリに記憶する「ｒｅｍｅｍｂｅｒ  ｐａｓｓｗｏｒｄ」オプションが設けられたユーザインタフェースを有し、前記アナライザは、メモリに記憶された前記入力ユーザ名及びパスワード内で前記関連ユーザ名及びパスワードを識別するように作動可能であることを特徴とする請求項８１に記載のシステム。
【請求項８９】  前記アナライザは、前記１つ又はそれ以上のワークステーションの各々に位置することを特徴とする請求項８１に記載のシステム。
【請求項９０】  前記アプリケーションは、ウェブブラウザであることを特徴とする請求項８１に記載のシステム。
【請求項９１】  前記アナライザは、前記ウェブブラウザのプラグイン・モジュールであることを特徴とする請求項９０に記載のシステム。
【請求項９２】  前記ウェブブラウザは、マイクロソフト製の「インターネット・エクスプローラ」であり、前記アナライザは、「ブラウザ・ヘルパー・オブジェクト」であることを特徴とする請求項９１に記載のシステム。
【請求項９３】  前記アプリケーションは、「インスタントメッセージング」アプリケーションであることを特徴とする請求項８１に記載のシステム。
【請求項９４】  前記アナライザは、前記「インスタントメッセージング」アプリケーションのプラグインであることを特徴とする請求項９３に記載のシステム。
【請求項９５】  前記ネットワークはサーバを含み、前記アナライザは、前記１つ又はそれ以上のワークステーションと前記サーバとの中間の前記ネットワーク上の一点に位置するか、又は、前記サーバに位置することを特徴とする請求項８１に記載のシステム。
【請求項９６】  前記データリポジトリーにアクセスすることができ、前記データリポジトリーに記憶された前記関連ユーザ名及びパスワードを閲覧するように作動可能であるスーパバイザ・ワークステーションを更に含むことを特徴とする請求項８１に記載のシステム。
【請求項９７】  前記複数のワークステーションにおけるワークステーションは、前記データリポジトリーにアクセスすることができ、前記データリポジトリーに記憶された前記関連ユーザ名及びパスワードを閲覧するように作動可能であることを特徴とする請求項８１に記載のシステム。
【請求項９８】  「インターネット」に接続されるようになっている、各々がメモリを有する複数のワークステーションを設ける段階と、
前記ワークステーションの各々からデータを受信するように構成されたデータリポジトリーを設ける段階と、
発信データを送信し、着信データを「インターネット」から受信するための、各ワークステーションの前記メモリに記憶されたアプリケーション、及び／又は、ユーザ入力データを受信するためのアプリケーションを設ける段階と、
ユーザ名及びパスワードを識別するために、前記ユーザ入力データ、前記発信データ、及び、前記着信データのうちの少なくとも１つを解析する段階と、
前記ユーザ名及びパスワードを前記データリポジトリーに記憶させる段階と、
を含むことを特徴とする、パスワード及びユーザ名を記録する方法。
【請求項９９】  前記ユーザ名及びパスワードがウェブページにアクセスするのに使用されるか否かを判断する段階と、使用される場合は、前記ウェブページの「ＵＲＬ」アドレスを識別する段階、及び、前記「ＵＲＬ」を前記ユーザ名及びパスワードと共に前記データリポジトリーに記憶する段階とを更に含むことを特徴とする請求項９８に記載の方法。
【請求項１００】  ユーザ名及びパスワードを前記データリポジトリーに記憶される前に暗号化する段階を更に含むことを特徴とする請求項９８に記載の方法。
【請求項１０１】  前記データリポジトリーに記憶されている前記ユーザ名及びパスワードを暗号化する段階を更に含むことを特徴とする請求項９８に記載の方法。
【請求項１０２】  前記解析する段階において、ユーザ名及びパスワードは、前記発信データ又は前記着信データのうちの少なくとも一方に含まれたデータのフィールド名内で識別されることを特徴とする請求項９８に記載の方法。
【請求項１０３】  ウェブページの入力フィールドの表現は、前記ワークステーションの前記メモリに記憶され、
前記解析する段階において、ユーザ名及びパスワードは、前記表現内で識別される、
ことを特徴とする請求項９８に記載の方法。
【請求項１０４】  前記解析する段階において、ユーザ名又はパスワードは、前記発信データ又は前記着信データに含まれたデータのフィールド形式内で識別されることを特徴とする請求項９８に記載の方法。
【請求項１０５】  前記アプリケーションは、選択された時に入力ユーザ名及びパスワードを前記１つ又はそれ以上のワークステーションの前記メモリに記憶する「ｒｅｍｅｍｂｅｒ  ｐａｓｓｗｏｒｄ」オプションが設けられたユーザインタフェースを有し、
前記解析する段階において、ユーザ名及びパスワードは、前記１つ又はそれ以上のワークステーションの前記メモリに記憶された前記入力ユーザ名及びパスワード内で識別される、
ことを特徴とする請求項９８に記載の方法。
【請求項１０６】  前記解析する段階は、前記１つ又はそれ以上のワークステーションで実行されることを特徴とする請求項９８に記載の方法。
【請求項１０７】  前記アプリケーションは、ウェブブラウザであることを特徴とする請求項９８に記載の方法。
【請求項１０８】  前記解析する段階は、前記ウェブブラウザのプラグイン・モジュールによって実行されることを特徴とする請求項１０７に記載の方法。
【請求項１０９】  前記ウェブブラウザは、マイクロソフト製の「インターネット・エクスプローラ」であり、前記プラグイン・モジュールは、「ブラウザ・ヘルパー・オブジェクト」であることを特徴とする請求項１０８に記載の方法。
【請求項１１０】  前記アプリケーションは、「インスタントメッセージング」アプリケーションであることを特徴とする請求項９８に記載の方法。
【請求項１１１】  前記アナライザは、前記「インスタントメッセージング」アプリケーションのプラグインであることを特徴とする請求項１１０に記載の方法。
【請求項１１２】  前記ネットワークはサーバを含み、前記解析する段階は、前記１つ又はそれ以上のワークステーションと前記サーバとの中間の前記ネットワーク上の一点で実行されるか、又は、前記サーバで実行されることを特徴とする請求項９８に記載の方法。
【請求項１１３】  前記データリポジトリーにアクセスすることができ、前記データリポジトリーに記憶された前記関連ユーザ名及びパスワードを閲覧するように作動可能であるスーパバイザ・ワークステーションを設ける段階を更に含むことを特徴とする請求項９８に記載の方法。
【請求項１１４】  前記複数のコンピュータにおけるコンピュータは、前記データリポジトリーにアクセスすることができ、前記データリポジトリーに記憶された前記関連ユーザ名及びパスワードを閲覧するように作動可能であることを特徴とする請求項９８に記載の方法。
【請求項１１５】  複数のコンピュータからデータを受信するように構成されたデータリポジトリーを有する私設ネットワークにおいて、パスワード及びユーザ名を記録するように複数のコンピュータを制御するコンピュータプログラム製品であって、
プログラムコードが記録された、コンピュータによって読取可能な記録媒体、
を含み、
前記プログラムコードは、複数のコンピュータの各々で実行された時に、
発信データを「インターネット」に送信して着信データを「インターネット」から受信するように作動可能な、コンピュータ上で実行されるアプリケーション、及び／又は、ユーザ入力データを受信するための、コンピュータ上で実行されるアプリケーションと協働して、前記ユーザ入力データ、前記発信データ、及び、前記着信データのうちの少なくとも１つにおいてデータリポジトリーに記憶される関係データを識別するために、前記ユーザ入力データ、前記発信データ、及び、前記着信データのうちの少なくとも１つを解析し、かつ
前記関係データを前記データリポジトリーに記憶するように前記コンピュータを制御する、
ように前記コンピュータを構成する、
ことを特徴とするコンピュータプログラム製品。
【請求項１１６】  前記コンピュータ上で実行された時の前記プログラムコードは、更に、前記ユーザ名及びパスワードがウェブページにアクセスするのに使用されるか否かを判断するように作動可能であり、かつ、使用される場合は、前記ウェブページの「ＵＲＬ」アドレスを識別して、前記「ＵＲＬ」を前記ユーザ名及びパスワードと共に前記データリポジトリーに記憶するように前記コンピュータに指示するように作動可能であることを特徴とする請求項１１５に記載のコンピュータプログラム製品。
【請求項１１７】  前記コンピュータ上で実行された時の前記プログラムコードは、更に、前記ユーザ名及びパスワードを、それらが前記データリポジトリーに記憶される前に暗号化させるように作動可能であることを特徴とする請求項１１５に記載のコンピュータプログラム製品。
【請求項１１８】  前記コンピュータ上で実行された時の前記プログラムコードは、更に、前記データリポジトリーに記憶されている前記ユーザ名及びパスワードを暗号化させるように作動可能であることを特徴とする請求項１１５に記載のコンピュータプログラム製品。
【請求項１１９】  前記コンピュータ上で実行された時の前記プログラムコードは、前記発信データ又は前記着信データのうちの少なくとも一方に含まれたデータのフィールド名からユーザ名及びパスワードを識別するように作動可能であることを特徴とする請求項１１５に記載のコンピュータプログラム製品。
【請求項１２０】  ウェブページの入力フィールドの表現は、前記コンピュータのメモリに記憶され、
前記コンピュータ上で実行された時の前記プログラムコードは、ユーザ名及びパスワードを前記表現内で識別するように作動可能である、
ことを特徴とする請求項１１５に記載のコンピュータプログラム製品。
【請求項１２１】  前記コンピュータ上で実行された時の前記プログラムコードは、更に、前記発信データ又は前記着信データに含まれたデータのフィールド形式からユーザ名又はパスワードを識別するように作動可能であることを特徴とする請求項１１５に記載のコンピュータプログラム製品。
【請求項１２２】  ユーザ入力データを受信するための前記アプリケーションは、選択された時に入力ユーザ名及びパスワードを前記コンピュータの前記メモリに記憶する「ｒｅｍｅｍｂｅｒ  ｐａｓｓｗｏｒｄ」オプションが設けられたユーザインタフェースを有し、
前記コンピュータ上で実行された時の前記プログラムコードは、前記コンピュータの前記メモリに記憶された前記入力ユーザ名及びパスワードからユーザ名及びパスワードを識別するように作動可能である、
ことを特徴とする請求項１１５に記載のコンピュータプログラム製品。
【請求項１２３】  前記プログラムコードは、前記コンピュータの各々で実行可能であることを特徴とする請求項１１５に記載のコンピュータプログラム製品。
【請求項１２４】  前記アプリケーションは、ウェブブラウザであることを特徴とする請求項１１５に記載のコンピュータプログラム製品。
【請求項１２５】  前記コンピュータ上で実行された時の前記プログラムコードは、前記ウェブブラウザのプラグイン・モジュールであることを特徴とする請求項１２４に記載のコンピュータプログラム製品。
【請求項１２６】  前記ウェブブラウザは、マイクロソフト製の「インターネット・エクスプローラ」であり、前記プラグイン・モジュールは、「ブラウザ・ヘルパー・オブジェクト」であることを特徴とする請求項１２５に記載のコンピュータプログラム製品。
【請求項１２７】  前記アプリケーションは、「インスタントメッセージング」アプリケーションであることを特徴とする請求項１１５に記載のコンピュータソフトウエア製品。
【請求項１２８】  前記コンピュータ上で実行された時の前記プログラムコードは、前記「インスタントメッセージング」アプリケーションのプラグインであることを特徴とする請求項１２７に記載のコンピュータソフトウエア製品。
【請求項１２９】  前記ネットワークはサーバを含み、前記プログラムコードは、前記コンピュータと前記サーバとの中間の前記ネットワーク上の一点で実行可能であるか、又は、前記サーバで実行可能であることを特徴とする請求項１１５に記載のコンピュータプログラム製品。
【請求項１３０】  前記コンピュータ上で実行された時、そのコンピュータを、前記データリポジトリーにアクセスすることができ、前記データリポジトリーに記憶された前記関連ユーザ名及びパスワードを閲覧するように作動可能であるスーパバイザ・ワークステーションとして有効化するプログラムコードを更に含むことを特徴とする請求項１１５に記載のコンピュータプログラム製品。
【請求項１３１】  前記複数のコンピュータにおけるコンピュータは、前記データリポジトリーにアクセスすることができ、前記データリポジトリーに記憶された前記関連ユーザ名及びパスワードを閲覧するように作動可能であることを特徴とする請求項１１５に記載のコンピュータプログラム製品。
【請求項１３２】  コンピュータネットワークに接続されるようになっている、各々がメモリを有する１つ又はそれ以上のワークステーションと、
発信メッセージを前記ネットワークに送信し、着信メッセージを前記ネットワークから受信するための、各ワークステーションの前記メモリに記憶されたアプリケーションと、
前記発信メッセージの１つ又はそれ以上の詳細を判断し、それらの詳細に基づいて前記発信メッセージの送信を制御するための規則を含むポリシーデータと、
前記発信メッセージの１つ又はそれ以上の詳細を判断して、前記発信メッセージを本来意図された受信者ではなく第三者に選択的に再方向付けするように前記ポリシーデータと協働して作動可能なアナライザと、
を含むことを特徴とする情報管理システム。
【請求項１３３】  コンピュータネットワークに接続されるようになっている、各々がメモリを有する１つ又はそれ以上のワークステーションと、
着信メッセージを前記ネットワークから受信し、受信されたメッセージを発信メッセージとして前記ネットワークに送信するための、各ワークステーションの前記メモリに記憶されたアプリケーションと、
前記発信メッセージの１つ又はそれ以上の詳細を判断し、それらの判断に基づいて前記発信メッセージの送信を制御するための規則を含むポリシーデータと、
前記発信メッセージの１つ又はそれ以上の詳細を判断し、前記ポリシーデータに規定された前記規則に基づいて、前記発信メッセージが別の受信者に転送されるのを選択的に防止するか、又は、メッセージが別の受信者に転送される前に警告を出すように前記ポリシーデータと協働して作動可能なアナライザと、
を含むことを特徴とする情報管理システム。
【請求項１３４】  コンピュータネットワークに接続されるようになっている、各々がメモリを有する１つ又はそれ以上のワークステーションと、
発信メッセージを前記ネットワークに送信し、着信メッセージを前記ネットワークから受信するための、各ワークステーションの前記メモリに記憶されたアプリケーションと、
前記発信メッセージの１つ又はそれ以上の詳細を判断し、それらの詳細に基づいて前記発信メッセージの送信を制御するための規則を含むポリシーデータと、
前記発信メッセージの１つ又はそれ以上の詳細を判断し、送信前に前記メッセージにデジタル署名することを選択的に要求するか、デジタル署名することが推奨されることを前記メッセージの送信者に通知するか、デジタル署名されたメッセージを署名なしで送信するように要求するか、又は、前記メッセージの前記送信者にデジタル署名することが推奨されないことを通知するように前記ポリシーデータと協働して作動可能なアナライザと、
を含むことを特徴とする情報管理システム。
【請求項１３５】  コンピュータネットワークに接続されるようになっている、各々がメモリを有する１つ又はそれ以上のワークステーションと、
発信データを前記ネットワークに送信し、着信データを前記ネットワークから受信するための、各ワークステーションの前記メモリに記憶されたアプリケーションと、
前記発信データの１つ又はそれ以上の詳細を判断し、それらの詳細に基づいて前記発信データの送信を制御するための規則を含むポリシーデータと、
前記発信データの１つ又はそれ以上の詳細を判断し、前記ポリシーデータに従って前記データの送信を制御するように前記ポリシーデータと協働して作動可能なアナライザと、
を含むことを特徴とする情報管理システム。
【請求項１３６】  コンピュータネットワークに接続されるようになっている、各々がメモリを有する１つ又はそれ以上のワークステーションを設ける段階と、
発信メッセージを前記ネットワークに送信し、着信メッセージを前記ネットワークから受信するための、各ワークステーションの前記メモリに記憶されたアプリケーションを設ける段階と、
前記発信メッセージの１つ又はそれ以上の詳細を判断し、それらの詳細に基づいて前記発信メッセージの送信を制御するための規則を含むポリシーデータを準備する段階と、
前記ポリシーデータと協働して前記１つ又はそれ以上の詳細を判断するために前記発信メッセージを解析する段階と、
前記１つ又はそれ以上の詳細に基づいて、前記発信メッセージを本来意図された受信者ではなく第三者に選択的に再方向付けする段階と、
を含むことを特徴とする、情報を管理する方法。
【請求項１３７】  コンピュータネットワークに接続されるようになっている、各々がメモリを有する１つ又はそれ以上のワークステーションを設ける段階と、
着信メッセージを前記ネットワークから受信し、受信されたメッセージを発信メッセージとして前記ネットワークに送信するための、各ワークステーションの前記メモリに記憶されたアプリケーションを設ける段階と、
前記発信メッセージの１つ又はそれ以上の詳細を判断し、それらの詳細に基づいて前記発信メッセージの送信を制御するための規則を含むポリシーデータを準備する段階と、
前記発信メッセージの１つ又はそれ以上の詳細を判断するために、前記ポリシーデータと協働して前記発信メッセージを解析する段階と、
前記ポリシーデータに規定された前記規則、及び、前記１つ又はそれ以上の詳細に基づいて、前記発信メッセージが別の受信者に転送されるのを選択的に防止するか、又は、前記発信メッセージが別の受信者に転送される前に警告を出す段階と、
を含むことを特徴とする、情報を管理する方法。
【請求項１３８】  コンピュータネットワークに接続されるようになっている、各々がメモリを有する１つ又はそれ以上のワークステーションを設ける段階と、
発信メッセージを前記ネットワークに送信し、着信メッセージを前記ネットワークから受信するための、各ワークステーションの前記メモリに記憶されたアプリケーションを設ける段階と、
前記発信メッセージの１つ又はそれ以上の詳細を判断し、それらの詳細に基づいて前記発信メッセージの送信を制御するための規則を含むポリシーデータを準備する段階と、
前記発信メッセージの１つ又はそれ以上の詳細、特に前記発信メッセージがデジタル署名されているか否かを判断するために、前記ポリシーデータと協働して前記発信メッセージを解析する段階と、
前記発信メッセージが送信前にデジタル署名されるか、又は、デジタル署名されている場合は、前記発信メッセージがデジタル署名されないことを選択的に要求する段階、又は、デジタル署名することが推奨されるか又は推奨されないことを前記メッセージの送信者に通知する段階のいずれかの段階と、
を含むことを特徴とする、情報を管理する方法。
【請求項１３９】  コンピュータネットワークに接続されるようになっている、各々がメモリを有する１つ又はそれ以上のワークステーションを設ける段階と、
発信データを前記ネットワークに送信し、着信データを前記ネットワークから受信するための、各ワークステーションの前記メモリに記憶されたアプリケーションを設ける段階と、
前記発信データの１つ又はそれ以上の詳細を判断し、それらの詳細に基づいて前記発信データの送信を制御するための規則を含むポリシーデータを準備する段階と、
前記発信メッセージの１つ又はそれ以上の詳細を判断するために、前記ポリシーデータと協働して前記発信データを解析する段階と、
前記ポリシーデータ及び前記１つ又はそれ以上の詳細に従って、前記データの送信を制御する段階と、
を含むことを特徴とする、情報を管理する方法。
【請求項１４０】  ネットワークへの発信データの送信を制御する規則を含むポリシーデータにアクセスすることができるネットワークに接続されたコンピュータを、情報を管理するように制御するためのコンピュータソフトウエア製品であって、
プログラムコードが記録された、コンピュータにより読取可能な記録媒体、
を含み、
前記プログラムコードは、前記コンピュータ上で実行された時に、
ポリシーデータの規則と協働して発信メッセージの１つ又はそれ以上の詳細を判断するために、発信メッセージを前記ネットワークに送信して着信メッセージを前記ネットワークから受信するように作動可能な前記コンピュータ上で実行されるアプリケーションと協働して、前記発信メッセージを解析し、
前記１つ又はそれ以上の詳細に基づいて、前記発信メッセージを本来意図された受信者ではなく第三者に選択的に再方向付けする、
ように前記コンピュータを構成する、
ことを特徴とするコンピュータソフトウエア製品。
【請求項１４１】  ネットワークへの発信データの送信を制御する規則を含むポリシーデータにアクセスすることができるネットワークに接続されたコンピュータを、情報を管理するように制御するためのコンピュータソフトウエア製品であって、
プログラムコードが記録された、コンピュータにより読取可能な記録媒体、
を含み、
前記プログラムコードは、前記コンピュータ上で実行された時に、
ポリシーデータの規則と協働して発信メッセージの１つ又はそれ以上の詳細を判断するために、発信メッセージを前記ネットワークに送信して着信メッセージを前記ネットワークから受信するように作動可能な前記コンピュータ上で実行されるアプリケーションと協働して、前記発信メッセージを解析し、
前記ポリシーデータに規定された前記規則に基づいて、前記発信メッセージが別の受信者に転送されるのを選択的に防止するか、又は、メッセージが別の受信者に転送される前に警告を出す、
ように前記コンピュータを構成する、
ことを特徴とするコンピュータソフトウエア製品。
【請求項１４２】  ネットワークへの発信データの送信を制御する規則を含むポリシーデータにアクセスすることができるネットワークに接続されたコンピュータを、情報を管理するように制御するためのコンピュータソフトウエア製品であって、
プログラムコードが記録された、コンピュータにより読取可能な記録媒体、
を含み、
前記プログラムコードは、前記コンピュータ上で実行された時に、
ポリシーデータの規則と協働して発信メッセージの１つ又はそれ以上の詳細を判断するために、発信メッセージを前記ネットワークに送信して着信メッセージを前記ネットワークから受信するように作動可能な前記コンピュータ上で実行されるアプリケーションと協働して、前記発信メッセージを解析し、
送信前に前記発信メッセージがデジタル署名されること、又は、デジタル署名された発信メッセージがデジタル署名されないことを選択的に要求するか、又は、デジタル署名することが推奨されること、又は、デジタル署名されたメッセージの場合は、デジタル署名することは推奨されないことを前記発信メッセージの送信者に通知する、
ように前記コンピュータを構成する、
ことを特徴とするコンピュータソフトウエア製品。
【請求項１４３】  ネットワークへの発信データの送信を制御する規則を含むポリシーデータにアクセスすることができるネットワークに接続されたコンピュータを、情報を管理するように制御するためのコンピュータソフトウエア製品であって、
プログラムコードが記録された、コンピュータにより読取可能な記録媒体、
を含み、
前記プログラムコードは、前記コンピュータ上で実行された時に、
ポリシーデータの規則と協働して発信データの１つ又はそれ以上の詳細を判断するために、発信データを前記ネットワークに送信して着信データを前記ネットワークから受信するように作動可能な前記コンピュータ上で実行されるアプリケーションと協働して、前記発信データを解析し、
前記ポリシーデータと前記発信メッセージの前記１つ又はそれ以上の詳細とに従って前記データの送信を制御する、
ように前記コンピュータを構成する、
ことを特徴とするコンピュータソフトウエア製品。